(57)【要約】【課題】本発明は、照度の低下を抑制しかつ効率良く光源ランプを冷却することが可能な投射型表示装置を提供することを目的とする。【解決手段】本発明による投射型表示装置は、バルブ１０から出射された光を出射側に案内するリフレクター８と、リフレクター８内に冷却風を送り込む冷却ファン２と、冷却ファン２の下流側に接続されリフレクター８の出射側の周囲に配置されたダクト１と、ダクト１とともに冷却風が通過する風路を形成するようにダクト１内に回転自在に設けられたロール４とを備え、ロール４は、当該ロール４の予め定められた位置に形成された穴の風路とは反対側に接続して設けられたダクト５と、ダクト５と対向する位置に設けられたウエイト７とを有し、ロール４は、風路がリフレクター８の出射側の周囲に配置されるようにダクト１内に設けられ、ダクト５は、ウエイト７の自重に応じてバルブ１０の上部に向けて冷却風を案内することを特徴とする。【選択図】図１
2015125208.tif 000002
【特許請求の範囲】
【請求項１】
光源ランプと、
前記光源ランプの出射側以外を覆い、前記光源ランプから出射された光を前記出射側に案内するリフレクターと、
前記リフレクター内に冷却風を送り込む冷却ファンと、
前記冷却ファンの下流側に接続され、前記リフレクターの前記出射側の周囲に配置された第１のダクトと、
前記第１のダクトとともに前記冷却風が通過する風路を形成するように前記第１のダクト内に回転自在に設けられたロールと、
を備え、
前記ロールは、当該ロールの予め定められた位置に形成された穴の前記風路とは反対側に接続して設けられた第２のダクトと、前記第２のダクトと対向する位置に設けられた第１のウエイトとを有し、
前記ロールは、前記風路が前記リフレクターの前記出射側の周囲に配置されるように前記第１のダクト内に設けられ、
前記第２のダクトは、前記第１のウエイトの自重に応じて前記光源ランプの上部に向けて前記冷却風を案内することを特徴とする、投射型表示装置。
【請求項２】
前記第１のダクトは、前記冷却ファンと前記風路との間に、前記冷却風の進路を分散させる整流板をさらに備えることを特徴とする、請求項１に記載の投射型表示装置。
【請求項３】
光源ランプと、
前記光源ランプの出射側以外を覆い、前記光源ランプから出射された光を前記出射側に案内するリフレクターと、
前記リフレクター内に冷却風を送り込む冷却ファンと、
前記リフレクターの外周に沿って配置されたガイドレールと、
前記冷却ファンの下流側に接続され、前記ガイドレール上を移動可能な第３のダクトと、
前記第３のダクトにフレームを介して接続され、前記第３のダクトと対向する位置に設けられた第２のウエイトと、
を備え、
前記第３のダクトは、前記第２のウエイトの自重に応じて前記光源ランプの上部に向けて前記冷却風を案内することを特徴とする、投射型表示装置。
【発明の詳細な説明】
【技術分野】
【０００１】
本発明は、液晶プロジェクター、ＤＬＰ（登録商標）プロジェクター等、光源ランプを備えた画像投射型表示装置である投射型表示装置に関し、特に、光源ランプの冷却構造に関する。
【背景技術】
【０００２】
従来の投射型表示装置では、使用時に光源ランプのリフレクター内におけるバルブの上部が高温になるため、バルブの上部を中心としてバーナー全体の冷却を行っている。特に、バルブの上部および下部の温度が適切な状態となるように、冷却の制御を行っている。
【０００３】
このような投射型表示装置は、気流の分布を最適にした空気を側面からバルブに対して噴射させ、投射型表示装置が光源ランプ（光源ランプの光軸）に対して正姿勢（０度）あるいは逆姿勢（１８０度）で設置して使用される場合に対応している。しかし、正姿勢あるいは逆姿勢の２つの姿勢でしか設置することができず、また、バルブの上部のみならずバルブの下部も冷却されるためバルブの下部が過冷却の状態となる場合があり、その場合はフリッカーや黒化の原因となる。
【０００４】
上記の問題の対策として、従来では、上面および下面からバルブに向けて空気を噴射させ、投射型表示装置が光源ランプに対して３６０度いかなる姿勢であっても設置することが可能な技術がある。
【０００５】
また、回転板の一部に切り欠き開口穴を設け、投射型表示装置が光源ランプに対して３６０度いかなる姿勢で設置されても、常に切り欠き開口穴が光源ランプの上部に位置するようにし、切り欠き開口穴から光源ランプに向けて空気を噴射する技術もある（例えば、特許文献１参照）。
【先行技術文献】
【特許文献】
【０００６】
【特許文献１】特開２０１１−１６４１７０号公報
【発明の概要】
【発明が解決しようとする課題】
【０００７】
上記の上面および下面からバルブに向けて空気を噴射する技術は、上面および下面の２方向から噴射する空気をコントロールすることができるため、投射型表示装置が３６０度いかなる姿勢であっても設置することが可能であるが、空気のコントロールが難しく、投射型表示装置の設置時の姿勢によっては冷却状態が良好にならない場合がある。
【０００８】
また、特許文献１では、投射型表示装置が３６０度いかなる姿勢で設置された場合であっても、バルブの上部に向けて空気を噴射させることは可能であるが、回転板がリフレクターの内側エリア（すなわち、リフレクターから光が出射されるエリア）の一部を覆ってしまうため、照度が低下するという問題がある。また、切り欠き開口穴から空気を噴射しているため、バルブの上部に向けて空気を効率良く噴射することができず、騒音の増大を招く。さらに、送風ファンの位置と空気の噴射位置との関係によって、投射型表示装置の設置時の姿勢に応じて空気の噴射気流の分布が異なるため、３６０度いかなる姿勢においても同じ冷却を行うことは困難である。
【０００９】
本発明は、このような問題を解決するためになされたものであり、照度の低下を抑制しかつ効率良く光源ランプを冷却することが可能な投射型表示装置を提供することを目的とする。
【課題を解決するための手段】
【００１０】
上記の課題を解決するために、本発明による投射型表示装置は、光源ランプと、光源ランプの出射側以外を覆い、光源ランプから出射された光を出射側に案内するリフレクターと、リフレクター内に冷却風を送り込む冷却ファンと、冷却ファンの下流側に接続され、リフレクターの出射側の周囲に配置された第１のダクトと、第１のダクトとともに冷却風が通過する風路を形成するように第１のダクト内に回転自在に設けられたロールとを備え、ロールは、当該ロールの予め定められた位置に形成された穴の風路とは反対側に接続して設けられた第２のダクトと、第２のダクトと対向する位置に設けられた第１のウエイトとを有し、ロールは、風路がリフレクターの出射側の周囲に配置されるように第１のダクト内に設けられ、第２のダクトは、第１のウエイトの自重に応じて光源ランプの上部に向けて冷却風を案内することを特徴とする。
【００１１】
また、本発明による投射型表示装置は、光源ランプと、光源ランプの出射側以外を覆い、光源ランプから出射された光を出射側に案内するリフレクターと、リフレクター内に冷却風を送り込む冷却ファンと、リフレクターの外周に沿って配置されたガイドレールと、冷却ファンの下流側に接続され、ガイドレール上を移動可能な第３のダクトと、第３のダクトにフレームを介して接続され、第３のダクトと対向する位置に設けられた第２のウエイトとを備え、第３のダクトは、第２のウエイトの自重に応じて光源ランプの上部に向けて冷却風を案内することを特徴とする。
【発明の効果】
【００１２】
本発明によると、投射型表示装置は、光源ランプと、光源ランプの出射側以外を覆い、光源ランプから出射された光を出射側に案内するリフレクターと、リフレクター内に冷却風を送り込む冷却ファンと、冷却ファンの下流側に接続され、リフレクターの出射側の周囲に配置された第１のダクトと、第１のダクトとともに冷却風が通過する風路を形成するように第１のダクト内に回転自在に設けられたロールとを備え、ロールは、当該ロールの予め定められた位置に形成された穴の風路とは反対側に接続して設けられた第２のダクトと、第２のダクトと対向する位置に設けられた第１のウエイトとを有し、ロールは、風路がリフレクターの出射側の周囲に配置されるように第１のダクト内に設けられ、第２のダクトは、第１のウエイトの自重に応じて光源ランプの上部に向けて冷却風を案内するため、照度劣化を抑制しかつ効率良く光源ランプを冷却することが可能となる。
【００１３】
また、投射型表示装置は、光源ランプと、光源ランプの出射側以外を覆い、光源ランプから出射された光を出射側に案内するリフレクターと、リフレクター内に冷却風を送り込む冷却ファンと、リフレクターの外周に沿って配置されたガイドレールと、冷却ファンの下流側に接続され、ガイドレール上を移動可能な第３のダクトと、第３のダクトにフレームを介して接続され、第３のダクトと対向する位置に設けられた第２のウエイトとを備え、第３のダクトは、第２のウエイトの自重に応じて光源ランプの上部に向けて冷却風を案内するため、照度劣化を抑制しかつ効率良く光源ランプを冷却することが可能となる。
【図面の簡単な説明】
【００１４】
【図１】本発明の実施の形態１による投射型表示装置における光源ランプの冷却構造の一例を示す正面断面図である。
【図２】本発明の実施の形態１による投射型表示装置における光源ランプの冷却構造の一例を示す側面断面図である。
【図３】本発明の実施の形態１による投射型表示装置における光源ランプの冷却構造の一例を示す斜視図である。
【図４】本発明の実施の形態１による投射型表示装置における光源ランプの冷却構造における気流の一例を示す図である。
【図５】本発明の実施の形態１による投射型表示装置における光源ランプの冷却構造における気流の一例を示す図である。
【図６】本発明の実施の形態１による投射型表示装置における光源ランプの冷却構造における気流の一例を示す図である。
【図７】本発明の実施の形態１による投射型表示装置における光源ランプの冷却構造における気流の一例を示す図である。
【図８】本発明の実施の形態１による投射型表示装置における光源ランプの冷却構造における気流の一例を示す図である。
【図９】本発明の実施の形態２による投射型表示装置における光源ランプの冷却構造の一例を示す正面断面図である。
【図１０】本発明の実施の形態２による投射型表示装置における光源ランプの冷却構造の一例を示す側面断面図である。
【図１１】本発明の実施の形態２による投射型表示装置における光源ランプの冷却構造の一例を示す斜視図である。
【図１２】本発明の実施の形態３による投射型表示装置における光源ランプの冷却構造の一例を示す正面断面図である。
【図１３】本発明の実施の形態３による投射型表示装置における光源ランプの冷却構造の一例を示す側面断面図である。
【図１４】本発明の実施の形態３による投射型表示装置における光源ランプの冷却構造の一例を示す上面図である。
【図１５】前提技術による投射型表示装置における光源ランプの冷却構造の一例を示す正面断面図である。
【図１６】前提技術による投射型表示装置における光源ランプの冷却構造の一例を示す側面断面図である。
【図１７】前提技術による投射型表示装置における光源ランプの冷却構造の一例を示す斜視図である。
【発明を実施するための形態】
【００１５】
本発明の実施の形態について、図面に基づいて以下に説明する。
【００１６】
＜前提技術＞
まず、本発明の前提となる技術（前提技術）について説明する。
【００１７】
図１５は、前提技術による投射型表示装置における光源ランプの冷却構造の一例を示す正面断面図である。図１６は、図１５の側面断面図である。図１７は、図１５および図１６の斜視図である。なお、図１６および図１７では、冷却ファン２の図示を省略している。
【００１８】
バルブ１０を有するバーナー９は、投射型表示装置における光源ランプとして設置されている。
【００１９】
リフレクター８は、バーナー９の出射側以外を覆い、バーナー９から出射された光を出射側に案内する。
【００２０】
ダクト１６は、リフレクター８の出射側に配置されており、ダクト１６内には回転板１７が回転自在に設けられている。
【００２１】
回転板１７は、切り欠き１８を有しており、切り欠き１８と対向する位置にウエイト１９を設けている。すなわち、回転板１７は、ウエイト１９が自重（図１５の下向き矢印）によって下部に位置することによって、切り欠き１８が常に上部に位置する状態となる。
【００２２】
冷却ファン２からダクト１６に空気（冷却風）が供給されると、当該空気は気流３となってダクト１６と回転板１７とによって形成される風路を通過する。その後、気流３は、切り欠き１８から気流６となってバルブ１０の上部に向けて噴射される。切り欠き１８から噴射された気流６によって、バルブ１０の上部を含むバーナー９（すなわち、光源ランプ）が冷却される。
【００２３】
上記の構成において、回転板１７がリフレクター８の内側エリア（リフレクター８から光が出射されるエリア）の一部を覆っているため、回転板１７がリフレクター８から出射される光の行路と干渉して照度が低下するという問題がある。
【００２４】
また、ダクト１６が冷却ファン２から直接的な気流を受けるため、ダクト１６の配置位置に応じて冷却ファン２からの気流の受け方が異なり、そのため切り欠き１８から噴射される気流６の分布も異なる。従って、投射型表示装置の設置時の姿勢によって冷却状態が変わるという問題がある。
【００２５】
また、切り欠き１８から噴射される気流６の分布を詳細に制御することができないため、冷却に無駄が生じるという問題がある。
【００２６】
本発明は、これらの問題を解決するためになされたものであり、以下に詳細に説明する。
【００２７】
＜実施の形態１＞
図１は、本発明の実施の形態１による投射型表示装置における光源ランプの冷却構造の一例を示す正面断面図である。図２は、図１の側面断面図である。図３は、図１および図２の斜視図である。
【００２８】
なお、図２および図３では、冷却ファン２の図示を省略している。また、図１〜図３におけるリフレクター８、バーナー９、およびバルブ１０は、図１５〜図１７におけるリフレクター８、バーナー９、およびバルブ１０と同様であるため、ここでは説明を省略する。
【００２９】
ダクト１（第１のダクト）は、冷却ファン２の下流側に接続され、リフレクター８の出射側の周囲に配置されている。
【００３０】
ロール４は、ダクト１とともに冷却ファン２から供給される空気（冷却風）が通過する風路を形成するようにダクト１内に回転自在に設けられている。このとき、ロール４は、風路がリフレクター８の出射側の周囲に配置されるようにダクト１内に設けられている。すなわち、ロール４は、リフレクター８の内側のエリアを覆わない位置に設けられている。
【００３１】
また、ロール４は、当該ロール４の予め定められた位置に形成された穴の風路とは反対側に接続して設けられたダクト５（第２のダクト）と、ダクト５と対向する位置に設けられたウエイト７（第１のウエイト）とを有しているため、ウエイト７が自重（図１の下向き矢印）によって下部に位置することによって、ダクト５は常に上部に位置する状態となる。すなわち、ダクト５は、ウエイト７の自重に応じてバルブ１０の上部を含むバーナー９に向けて気流（冷却風）を案内する位置に配置されている。
【００３２】
冷却ファン２からダクト１に空気（冷却風）が供給されると、当該空気は気流３となってダクト１とロール４とによって形成される風路を通過する。その後、気流３は、ダクト５から気流６となってバルブ１０の上部に向けて噴射される。ダクト５から噴射された気流６によって、バルブ１０の上部を含むバーナー９（すなわち、光源ランプ）が冷却される。
【００３３】
図４〜図８は、冷却ファン２から供給される気流３および気流６の流れの一例を示す図である。
【００３４】
図４〜８に示すように、投射型表示装置の設置時の姿勢に応じて、ダクト１および冷却ファン２の位置が異なる。しかし、ロール４は、ダクト５が常に上部に位置する状態となっている。従って、投射型表示装置が３６０度いかなる姿勢で設置された場合であっても、ダクト５からバルブ１０の上部に向けて空気を噴射させることが可能となる。
【００３５】
以上のことから、本実施の形態１によれば、ダクト５以外は全てリフレクター８の内側のエリアを覆わない位置に設けているため、リフレクター８から出射される光の行路との干渉を低減し、照度の低下を抑制することが可能となる。また、ダクト５を最適な形状とすることによって、冷却ファン２から供給される空気（冷却風）の風量を最小限にして、バルブ１０の上部を含むバーナー９を効率良く冷却するとともに、騒音を抑制することができる。また、投射型表示装置が３６０度いかなる姿勢で設置された場合であっても、バルブ１０の上部に向けて気流を噴射させることが可能となる。
【００３６】
なお、実施の形態１では、ウエイト７の自重を利用してダクト５が常に上部に位置するようにしていたが、これに限るものではない。例えば、投射型表示装置内に角度センサー（図示せず）を設け、角度センサーによって投射型表示装置の設置時の姿勢を把握し、当該把握した姿勢の情報に基づいてモーター（図示せず）を用いてロール４（すなわち、ダクト５）を最適な位置に制御するようにしてもよい。
【００３７】
＜実施の形態２＞
図９は、本発明の実施の形態２による投射型表示装置における光源ランプの冷却構造の一例を示す正面断面図である。図１０は、図９の側面断面図である。図１１は、図９および図１０の斜視図である。
【００３８】
図９〜図１１に示すように、本実施の形態２では、ダクト１内に整流板１１を備えることを特徴としている。その他の構成は、実施の形態１と同様であるため、ここでは説明を省略する。
【００３９】
整流板１１は、冷却ファン２と、ダクト１とロール４とによって形成される風路との間（ダクト１における冷却ファン２から供給される空気の取り込み口付近）に設けられており、冷却ファン２から供給される空気（冷却風）の進路を分散させている。
【００４０】
以上のことから、本実施の形態２によれば、実施の形態１による効果に加えて、整流板１１を設けることによって、ダクト１とロール４とによって形成される風路内における空気の圧力を均一化することができるため、投射型表示装置が３６０度いかなる姿勢で設置された場合であっても冷却状態が変わらないという効果が得られる。すなわち、設置時の姿勢が固定された投射型表示装置におけるランプ光源の冷却と同等の照度維持および冷却能力を確保することができる。
【００４１】
＜実施の形態３＞
図１２は、本発明の実施の形態３による投射型表示装置における光源ランプの冷却構造の一例を示す正面断面図である。図１３は、図１２の側面断面図である。図１４は、図１２および図１３の上面図である。
【００４２】
なお、図１２〜図１４におけるリフレクター８、バーナー９、およびバルブ１０は、図１５〜図１７におけるリフレクター８、バーナー９、およびバルブ１０と同様であるため、ここでは説明を省略する。
【００４３】
ガイドレール１４は、リフレクター８の外周に沿って（すなわち、環状に）配置されている。
【００４４】
ダクト５およびダクト１２（第３のダクト）は、冷却ファン２の下流側に接続され、ガイドホルダー１３を介してガイドレール１４上を移動可能に配置されている。
【００４５】
ウエイト７（第２のウエイト）は、フレーム１５を介して固定されており、ダクト５と対向する位置に設けられている。すなわち、ダクト５は、ウエイト７の自重（図１２の下向き矢印）に応じてバルブ１０の上部を含むバーナー９に向けて気流（冷却風）を案内する位置に配置されている。
【００４６】
冷却ファン２からダクト１２に空気（冷却風）が供給されると、当該空気は気流６となってダクト５からバルブ１０の上部に向けて噴射される。ダクト５から噴射された気流６によって、バルブ１０の上部を含むバーナー９（すなわち、光源ランプ）が冷却される。
【００４７】
実施の形態１では、冷却ファン２からダクト５までの距離が長いため送風ロスが生じてしまう。一方、本実施の形態３では、冷却ファン２、ダクト１２、およびダクト５を直結しているため送風ロスを抑制することが可能となる。
【００４８】
以上のことから、本実施の形態３によれば、実施の形態１による効果に加えて、送風ロスを抑制することが可能となる。
【００４９】
なお、実施の形態３では、ウエイト７の自重を利用してダクト５が常に上部に位置するようにしていたが、これに限るものではない。例えば、投射型表示装置内に角度センサー（図示せず）を設け、角度センサーによって投射型表示装置の設置時の姿勢を把握し、当該把握した姿勢の情報に基づいてモーター（図示せず）を用いてロール４（すなわち、ダクト５）を最適な位置に制御するようにしてもよい。この場合、モーターをダクト１２に取り付けることによって、モーターの駆動に応じて冷却ファン２、ダクト１２、およびダクト５をガイドレール１４上で移動させることができる。
【００５０】
冷却ファン２に対しては、リード線を介して直接電力供給することができる。しかし、冷却ファン２に対する電力供給が構造上困難な場合は、ガイドホルダー１３にパンタグラフのような電極を設けることによって、ガイドレール、およびガイドホルダーに設けた電極を介して冷却ファン２に電力供給するようにしてもよい。
【００５１】
なお、本発明は、その発明の範囲内において、各実施の形態を自由に組み合わせたり、各実施の形態を適宜、変形、省略することが可能である。
【符号の説明】
【００５２】
１  ダクト、２  冷却ファン、３  気流、４  ロール、５  ダクト、６  気流、７  ウエイト、８  リフレクター、９  バーナー、１０  バルブ、１１  整流板、１２  ダクト、１３  ガイドホルダー、１４  ガイドレール、１５  フレーム、１６  ダクト、１７  回転板、１８  切り欠き、１９  ウエイト。
【図１】
2015125208.tif 000003
【図２】
2015125208.tif 000004
【図３】
2015125208.tif 000005
【図４】
2015125208.tif 000006
【図５】
2015125208.tif 000007
【図６】
2015125208.tif 000008
【図７】
2015125208.tif 000009
【図８】
2015125208.tif 000010
【図９】
2015125208.tif 000011
【図１０】
2015125208.tif 000012
【図１１】
2015125208.tif 000013
【図１２】
2015125208.tif 000014
【図１３】
2015125208.tif 000015
【図１４】
2015125208.tif 000016
【図１５】
2015125208.tif 000017
【図１６】
2015125208.tif 000018
【図１７】
2015125208.tif 000019